【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス通信デバイスのプロセッサにより、第1のパイロットシーケンスに第1のカバーコードを適用してパイロットシンボルの第1のセットを生成し、第2のパイロットシーケンスに第2のカバーコードを適用してパイロットシンボルの第2のセットを生成するステップであって、前記第1のカバーコードおよび前記第2のカバーコードが時間領域および周波数領域において互いに直交する、ステップと、
第1の数のリソース要素を使用して第1の送信ポートにパイロットシンボルの前記第1のセットを引き渡すステップと、
第2の数のリソース要素を使用して第2の送信ポートにパイロットシンボルの前記第2のセットを引き渡すステップと、
前記第1の送信ポートからパイロットシンボルの前記第1のセットを送信するステップと、
前記第2の送信ポートからパイロットシンボルの前記第2のセットを送信するステップと
を備え、パイロットシンボルの送信された前記第1のセットおよび送信された前記第2のセットが共通基準信号を備える、方法。
【請求項２】
前記適用するステップが、
前記第1のカバーコードを備える第1のウォルシュコードを用いて前記第1のパイロットシーケンスを拡散するステップと、
前記第2のカバーコードを備える第2のウォルシュコードを用いて前記第2のパイロットシーケンスを拡散するステップと
を備える、請求項1に記載の方法。
【請求項３】
前記周波数領域内でスクランブリングコードを用いてパイロットシンボルの前記第1のセットおよび前記第2のセットをスクランブルするステップ
をさらに備える、請求項1に記載の方法。
【請求項４】
前記第1のパイロットシーケンスが前記第2のパイロットシーケンスと異なり、
前記第1の数のリソース要素と前記第2の数のリソース要素が同じである、
請求項1に記載の方法。
【請求項５】
前記第1のパイロットシーケンスが前記第2のパイロットシーケンスと同じであり、
前記第1の数のリソース要素と前記第2の数のリソース要素が同じである、
請求項1に記載の方法。
【請求項６】
パイロットシンボルの前記第1のセットが前記時間領域内のパイロットシンボルのペアを備え、前記送信するステップが、
前記時間領域内で互いの第1の時間間隔以内にパイロットシンボルの前記ペアを送信するステップと、
パイロットシンボルの前記ペアの第2の時間間隔以内に前記第1の送信ポートを介してパイロットシンボルの第3のセットを送信するステップと、
前記第2の時間間隔以内に前記第2の送信ポートを介してパイロットシンボルの第4のセットを送信するステップと
をさらに備え、
前記第1の時間間隔が前記第2の時間間隔よりも小さく、パイロットシンボルの前記第3のセットおよび前記第4のセットが第2の共通基準信号を備える、
請求項1に記載の方法。
【請求項７】
前記第1の数のリソース要素および前記第2の数のリソース要素が前記周波数領域内の異なるサブキャリアに配置され、前記送信するステップが、
互いからの第1の周波数間隔を有し、前記周波数領域内の選択された周波数帯域内に位置する第1の複数のサブキャリアを用いてパイロットシンボルの前記第1のセットの第1のサブセットを配置するステップと、
互いからの第2の周波数間隔を有し、前記選択された周波数帯域を包囲および包含する第2の複数のサブキャリアを用いてパイロットシンボルの前記第1のセットの第2のサブセットを配置するステップと
をさらに備え、前記第2の周波数間隔が前記第1の周波数間隔よりも大きい、請求項1に記載の方法。
【請求項８】
第1のパイロットシーケンスに第1のカバーコードを適用してパイロットシンボルの第1のセットを生成し、第2のパイロットシーケンスに第2のカバーコードを適用してパイロットシンボルの第2のセットを生成することであって、前記第1のカバーコードおよび前記第2のカバーコードが時間領域および周波数領域において互いに直交する、生成することと、
送信用に第1の数のリソース要素を使用してパイロットシンボルの前記第1のセットを引き渡すことと、
送信用に第2の数のリソース要素を使用してパイロットシンボルの前記第2のセットを引き渡すことと
を行うように構成されたプロセッサと、
第1の送信ポートおよび第2の送信ポートを備えるトランシーバであって、前記第1の送信ポートがパイロットシンボルの前記第1のセットを送信するように構成され、前記第2の送信ポートがパイロットシンボルの前記第2のセットを送信するように構成され、パイロットシンボルの送信された前記第1のセットおよび送信された前記第2のセットが共通基準信号を備える、トランシーバと
を備える、ワイヤレス通信デバイス。
【請求項９】
前記プロセッサが、
前記第1のカバーコードを備える第1のウォルシュコードを用いて前記第1のパイロットシーケンスを拡散することと、
前記第2のカバーコードを備える第2のウォルシュコードを用いて前記第2のパイロットシーケンスを拡散することと
を行うようにさらに構成される、請求項8に記載のワイヤレス通信デバイス。
【請求項１０】
前記トランシーバが、前記周波数領域内でそれぞれのスクランブリングコードを用いて、パイロットシンボルの前記第1のセットおよび前記第2のセットをスクランブルするようにさらに構成される、請求項8に記載のワイヤレス通信デバイス。
【請求項１１】
ワイヤレス通信のための方法であって、
ワイヤレス通信デバイスにおいて、第1の数のリソース要素を使用し、第1のカバーコードを用いて拡散されたパイロットシンボルの第1のセットを受信するステップと、
前記ワイヤレス通信デバイスにおいて、第2の数のリソース要素を使用し、第2のカバーコードを用いて拡散されたパイロットシンボルの第2のセットを受信するステップであって、前記第1のカバーコードおよび前記第2のカバーコードが時間領域および周波数領域において互いに直交し、パイロットシンボルの前記第1のセットおよび前記第2のセットが共通基準信号を備える、ステップと、
前記周波数領域内でパイロットシンボルの前記第1のセットおよび前記第2のセットを逆拡散して、前記時間領域内で少なくとも2つのパイロット観測値を復元するステップと、
前記時間領域内でパイロットシンボルの前記第1のセットおよび前記第2のセットを逆拡散して、前記時間領域内のパイロット観測値と前記周波数領域内の稠密なパイロット拡散とを復元するステップと
を備える、方法。
【請求項１２】
時間周波数領域結合チャネル推定値を推定するステップ
をさらに備える、請求項11に記載の方法。
【請求項１３】
前記時間領域内の前記少なくとも2つのパイロット観測値を用いて周波数トラッキングループを更新するステップ
をさらに備える、請求項11に記載の方法。
【請求項１４】
第1の数のリソース要素を使用し、第1のカバーコードを用いて拡散されたパイロットシンボルの第1のセットを受信することと、
第2の数のリソース要素を使用し、第2のカバーコードを用いて拡散されたパイロットシンボルの第2のセットを受信することであって、前記第1のカバーコードおよび前記第2のカバーコードが時間領域および周波数領域において互いに直交し、パイロットシンボルの前記第1のセットおよび前記第2のセットが共通基準信号を備える、ことと
を行うように構成された受信機と、
前記周波数領域内でパイロットシンボルの前記第1のセットおよび前記第2のセットを逆拡散して、前記時間領域内で少なくとも2つのパイロット観測値を復元することと、
前記時間領域内でパイロットシンボルの前記第1のセットおよび前記第2のセットを逆拡散して、前記時間領域内のパイロット観測値と前記周波数領域内の稠密なパイロット拡散とを復元することと
を行うように構成されたプロセッサと
を備える、ワイヤレス通信デバイス。
【請求項１５】
プログラムコードを記録したコンピュータ可読記録媒体であって、前記プログラムコードは、コンピュータで実行されたときに、請求項1から7、または請求項11から13のいずれか一項に記載の方法を実行するためのコードを含む、コンピュータ可読記録媒体。